【事件の表示】
　特願２０１５−５５８９０３「電磁干渉軽減特性を有するポリマー複合物」拒絶査定不服審判事件〔平成２６年　８月２８日国際公開、ＷＯ２０１４／１３０４３１、平成２８年　５月２６日国内公表、特表２０１６−５１５２９８〕について、次のとおり審決する。
【結　論】
　本件審判の請求は、成り立たない。
【理　由】
第１　手続の経緯
　本願は、平成２６年２月１８日（パリ条約による優先権主張外国庁受理２０１３年２月２１日、米国）を国際出願日とする出願であって、平成２９年２月２日付けで手続補正がなされ、同年１１月２２日付け拒絶理由通知に対して平成３０年５月２５日付けで手続補正がなされたが、同年１１月２７日付けで拒絶査定がなされた。これに対し、平成３１年４月３日付けで拒絶査定不服審判が請求されたものである。
第２　本願発明について
　本願の請求項１ないし５に係る発明は、平成３０年５月２５日付けの手続補正により補正された特許請求の範囲の請求項１ないし５に記載された事項により特定されたものであるところ、請求項５に係る発明（以下「本願発明」という。）は次のとおりである。
「【請求項５】
　エポキシ系ポリマーマトリックスであって０．００５〜０．５０の誘電損失正接を有する損失性ポリマーマトリックスと、
　該ポリマーマトリックス内に分散した酸化銅（ＣｕＯ）粒子と、を含み、
　電磁干渉軽減材料である、複合物。」
第３　当審の判断
１．特許法第２９条第１項第３号について
（１）引用文献
　原査定の拒絶の理由に引用された特開２００４−１４３３４７号公報（以下「引用文献」という。）には、「樹脂複合体及びこれを用いた電磁波吸収体並びにこれを用いた高周波回路用パッケージ」に関して、図面と共に以下の事項が記載されている（下線は当審で付与した。）。
ア．「【請求項１】
平均粒径０．１μｍ〜１０μｍの鉄または鉄を含む合金粉を２９〜５２体積％、
セラミックス粉
合成樹脂を
含有する
樹脂複合体
・・・（中略）・・・
【請求項３】
前記セラミックス粉がＣｕＯ、ＳｉＯ２、Ａｌ２Ｏ３、Ｆｅ２Ｏ３のうち少なくとも１種からなる
・・・（中略）・・・
【００３０】
また、
セラミックス粉１２がＣｕＯ、ＳｉＯ２、Ａｌ２Ｏ３、Ｆｅ２Ｏ３のうち少なくとも１種であることが好ましい
イ．「【００３１】
また、
合成樹脂１３は、
これらの中でも耐熱性、寸法安定性、強度等の点からフェノール樹脂、エポキシ樹脂、ポリイミド樹脂が好適である。
ウ．「【００３９】
例えば図２で示すように、電磁波吸収体２０は、前述した樹脂複合体１０を用いて作製されたものである。
樹脂複合体１０を用いることによって、周波数１ＧＨｚ〜１０ＧＨｚにおいて
電磁波吸収特性が得られる
エ．「【００４５】
【実施例】
図１に示す鉄粉１１、
セラミックス粉１２、合成樹脂１３の材質
がそれぞれ異なる樹脂複合体を作製
・・・（中略）・・・
【００５０】
尚、
本実験にあたり
セラミックス粉１２にはＣｕＯ、ＳｉＯ２、Ａｌ２Ｏ３、Ｆｅ２Ｏ３、合成樹脂１３にはレゾール型フェノール樹脂、エポキシ樹脂を用いた
・・・（中略）・・・
【００５６】
【表１】
」
オ．「
」（図１）
・上記ア．によれば、樹脂複合体は、セラミックス粉及び合成樹脂を含有するものである。また、セラミックス粉は、例えばＣｕＯからなる。
・上記イ．によれば、合成樹脂は、例えばエポキシ樹脂が好適である。
・上記ウ．によれば、樹脂複合体は、周波数１ＧＨｚ〜１０ＧＨｚにおいて電磁波吸収特性が得られるものである。
・上記オ．によれば、セラミックス粉１２は、合成樹脂１３内に分散するものである。
　上記摘示事項および図面を総合勘案すると、引用文献には次の発明（以下「引用発明」という。）が記載されている。 
「周波数１ＧＨｚ〜１０ＧＨｚにおいて電磁波吸収特性が得られる、樹脂複合体であって、
　セラミックス粉及び合成樹脂を含有し、
　前記セラミックス粉は、ＣｕＯからなり、前記合成樹脂内に分散し、
　前記合成樹脂は、エポキシ樹脂が好適である、樹脂複合体。」
（２）対比
　そこで、本願発明と引用発明とを対比する。
ア．引用発明の「樹脂複合体」は、周波数１ＧＨｚ〜１０ＧＨｚにおいて電磁波吸収特性が得られるものであるから、本願発明の「電磁干渉軽減材料である、複合物」に相当する。
イ．引用発明の「合成樹脂」は、エポキシ樹脂であるから、本願発明の「エポキシ系ポリマーマトリックス」に相当する。
　ただし、エポキシ系ポリマーマトリックスについて、本願発明は「０．００５〜０．５０の誘電損失正接を有する損失性ポリマーマトリックス」であるのに対し、引用発明にはその旨の特定はされていない点で相違する。
ウ．引用発明の「セラミックス粉」は、ＣｕＯからなり、合成樹脂内に分散するものであるから、本願発明の「該ポリマーマトリックス内に分散した酸化銅（ＣｕＯ）粒子」に相当する。
　そうすると、本願発明と引用発明とは、
「エポキシ系ポリマーマトリックスと、
　該ポリマーマトリックス内に分散した酸化銅（ＣｕＯ）粒子と、を含み、
　電磁干渉軽減材料である、複合物。」の点で一致し、
以下の点で相違する。
＜相違点＞ 
　エポキシ系ポリマーマトリックスについて、本願発明は「０．００５〜０．５０の誘電損失正接を有する損失性ポリマーマトリックス」であるのに対し、引用発明にはその旨の特定はされていない点。 
  
（３）判断 
　上記相違点について検討する。 
　エポキシ樹脂は、周波数１ＧＨｚ〜１０ＧＨｚの範囲において０．００５〜０．５０の範囲の誘電損失正接を有するものであるから（必要であれば、アンテナ工学ハンドブック、第１版第１２刷、平成１６年５月１５日、７１４頁、「エポキシＥＰＯＮ８２８」の「ｔａｎδ（８〜１０ＧＨｚ）」の「３．５×１０−２」を参照。さらに、稲垣佳那、低誘電化を目指した低分子量ＰＰＥの熱硬化性樹脂への展開、生産と技術、第６４巻、第４号、２０１２年、５１頁ないし５３頁、Ｔａｂｌｅ１の「Ｅｐｏｘｙ」の「Ｄｉｓｓｉｐａｔｉｏｎ　Ｆａｃｔｏｒ（Ｄｆ）＠１ＧＨｚ」の「０．０１−０．０３」を参照。）、引用発明の樹脂複合体に含有するエポキシ樹脂は、０．００５〜０．５０の誘電損失正接を有し、本願発明でいう「損失性ポリマーマトリックス」に相当するといえるものであり、上記相違点は実質的な相違ではない。
　したがって、本願発明は、引用文献に記載された発明である。
２．特許法第２９条第２項について
（１）引用文献
　原査定の拒絶の理由で引用された引用文献の記載事項は、上記「１．（１）ア．ないしオ．」に記載したとおりである。
・上記「１．（１）ウ．」によれば、樹脂複合体は、周波数１ＧＨｚ〜１０ＧＨｚにおいて電磁波吸収特性が得られるものである。
・上記「１．（１）エ．の表１の試料１５」によれば、樹脂複合体は、セラミックス粉としてＡｌ２Ｏ３、及び合成樹脂としてエポキシ樹脂を含有するものである。
・上記「１．（１）オ．」によれば、セラミックス粉１２は、合成樹脂１３内に分散するものである。
　特に表１に示される試料１５に着目し、上記摘示事項および図面を総合勘案すると、引用文献には次の発明（以下「引用発明ａ」という。）が記載されている。 
「周波数１ＧＨｚ〜１０ＧＨｚにおいて電磁波吸収特性が得られる、樹脂複合体であって、
　セラミックス粉としてＡｌ２Ｏ３、及び合成樹脂としてエポキシ樹脂を含有し、
　前記セラミックス粉は、前記合成樹脂内に分散するものである、樹脂複合体。」
（２）対比
　そこで、本願発明と引用発明ａとを対比する。
ア．引用発明ａの「樹脂複合体」は、周波数１ＧＨｚ〜１０ＧＨｚにおいて電磁波吸収特性が得られるものであるから、本願発明の「電磁干渉軽減材料である、複合物」に相当する。
イ．引用発明ａの「合成樹脂」は、エポキシ樹脂であるから、本願発明の「エポキシ系ポリマーマトリックス」に相当する。
　ただし、エポキシ系ポリマーマトリックスについて、本願発明は「０．００５〜０．５０の誘電損失正接を有する損失性ポリマーマトリックス」であるのに対し、引用発明ａにはその旨の特定はされていない点で相違する。
ウ．引用発明ａの「前記合成樹脂内に分散する」「セラミックス粉」の「Ａｌ２Ｏ３」と本願発明の「該ポリマーマトリックス内に分散した酸化銅（ＣｕＯ）粒子」とは、「該ポリマーマトリックス内に分散したセラミック粒子」である点で共通する。
　ただし、セラミック粒子について、本願発明は「酸化銅（ＣｕＯ）」であるのに対し、引用発明ａは「Ａｌ２Ｏ３」である点で相違する。
　そうすると、本願発明と引用発明ａとは、
「エポキシ系ポリマーマトリックスと、
　該ポリマーマトリックス内に分散したセラミック粒子と、を含み、
　電磁干渉軽減材料である、複合物。」の点で一致し、
以下の点で相違する。
＜相違点１＞ 
　エポキシ系ポリマーマトリックスについて、本願発明は「０．００５〜０．５０の誘電損失正接を有する損失性ポリマーマトリックス」であるのに対し、引用発明ａにはその旨の特定はされていない点。 
＜相違点２＞ 
　セラミック粒子について、本願発明は「酸化銅（ＣｕＯ）」であるのに対し、引用発明ａは「Ａｌ２Ｏ３」である点。 
（３）判断 
　上記相違点について検討する。 
ア．＜相違点１＞ について
　エポキシ樹脂は、周波数１ＧＨｚ〜１０ＧＨｚの範囲において０．００５〜０．５０の範囲の誘電損失正接を有するものであるから（必要であれば、アンテナ工学ハンドブック、第１版第１２刷、平成１６年５月１５日、７１４頁、「エポキシＥＰＯＮ８２８」の「ｔａｎδ（８〜１０ＧＨｚ）」の「３．５×１０−２」を参照。さらに、稲垣佳那、低誘電化を目指した低分子量ＰＰＥの熱硬化性樹脂への展開、生産と技術、第６４巻、第４号、２０１２年、５１頁ないし５３頁、Ｔａｂｌｅ１の「Ｅｐｏｘｙ」の「Ｄｉｓｓｉｐａｔｉｏｎ　Ｆａｃｔｏｒ（Ｄｆ）＠１ＧＨｚ」の「０．０１−０．０３」を参照。）、引用発明ａの樹脂複合体に含有するエポキシ樹脂は、０．００５〜０．５０の誘電損失正接を有し、本願発明でいう「損失性ポリマーマトリックス」に相当するといえるものであり、上記相違点１は実質的な相違ではない。
イ．＜相違点２＞ について
　引用文献（引用発明ａ）のセラミック粒子は上記「１．（１）ア．の段落【００３０】」によれば、ＣｕＯ、ＳｉＯ２、Ａｌ２Ｏ３、Ｆｅ２Ｏ３のうち少なくとも１種であることが好ましいのだから、引用発明ａの該セラミック粒子としてＡｌ２Ｏ３に代えてＣｕＯを選択し上記相違点２の構成とすることは、当業者が容易になし得た事項である。
　この点について、審判請求人は、審判請求書にて「特に、エポキシと、酸化銅（ＣｕＯ）粒子の組み合わせについては、いずれの引用文献にも記載がない。平成３０年５月２５日付け意見書でも述べた通り、本願発明は、エポキシ系ポリマーマトリックスであって０．００５〜０．５０の誘電損失正接を有する損失性ポリマーマトリックスと、該ポリマーマトリックス内に分散した酸化銅（ＣｕＯ）粒子という２要素の組み合わせを含むことにより、例えばＰＶＤＦと比較して、電磁干渉（ＥＭＩ）として好適な、より高い誘電率と、より高い損失正接とをもたらすという、顕著で予測不能かつ有利な作用効果をもたらすことに留意されたい。 ・・・（中略）・・・上記を対比すれば明らかな通り、エポキシ樹脂と酸化銅粒子との組み合わせを用いた複合物（実施例１１、１２）では、ＰＶＤＦを用いた複合物（実施例１）と比較して、電磁干渉（ＥＭＩ）として好適な、より高い誘電率と、より高い損失正接とをもたらし、このことは、顕著で予測不能かつ有利な作用効果である。したがって、本願発明５の新規性および進歩性を引用文献１、２、４により否定することはできない（審査基準第III部第２章第４節７．２参照）。」旨を主張している。ここで、引用文献４とは上記引用文献である。
　しかしながら、引用文献にエポキシ樹脂と酸化銅粒子とを直接組み合わせた実施例の記載がないとしても、引用文献（上記「１．（１）ア．の段落【００３０】及びイ．」を参照。）には、これらの組み合わせを積極的あるいは優先的に選択すべき記載があるので、エポキシ樹脂と酸化銅粒子の組み合わせは、引用文献から当業者が容易に想到し得たものである。また、請求人の主張している、エポキシ樹脂と酸化銅粒子を用いた複合物が、電磁干渉（ＥＭＩ）として好適な、より高い誘電率とより高い損失正接とをもたらす点についても、より高い誘電率及び損失正接が電磁干渉軽減にどれくらいの効果があるのか明細書には何ら記載しておらず、引用文献のエポキシ樹脂とＡｌ２Ｏ３を用いた樹脂複合体と比較して、本願発明の奏する作用効果が格別顕著なものであるということはできない。
　よって、請求人の主張は採用できない。
　したがって、本願発明は、引用文献に記載された発明から当業者が容易になし得たものである。
　そして、本願発明の作用効果も、引用文献から当業者が予測できる範囲のものである。
第４　むすび 
　以上のとおり、本願の請求項５に係る発明は、特許法第２９条第１項第３号及び同法第２９条第２項の規定により特許を受けることができない。 
　したがって、本願は、その余の請求項について論及するまでもなく拒絶すべきものである。 
　よって、結論のとおり審決する。